(57)【要約】【課題】タッチパネルを備えた携帯型電子装置において誤動作を起こりにくくする。【解決手段】携帯型電子装置２は板状の外形を有する。当該外形の一方面に表示面に画像を表示する有機ＥＬ表示パネル４が配される。タッチセンサ６は表示面に配され表示面への物体の接触を検出する。タッチセンサ６として、表示面のうち中央部を含んで設定された主領域３２には静電容量式接触センサ４８が配され、表示面のうち当該表示面の少なくとも一部のエッジを含み主領域とは排他的に設定されたサイド領域３０には抵抗膜式接触センサ４６が配される。【選択図】図１
2015215800.tif 000002
【特許請求の範囲】
【請求項１】
板状の外形を有した携帯型電子装置であって、
前記外形の一方面に配された表示面に画像を表示する表示部と、
前記表示面に配され当該表示面への物体の接触を検出する接触センサと、
を有し、
前記接触センサとして、前記表示面のうち中央部を含んで設定された主領域には静電容量式接触センサが配され、前記表示面のうち当該表示面の少なくとも一部のエッジを含み前記主領域とは排他的に設定されたサイド領域には感圧式接触センサが配されること、
を特徴とする携帯型電子装置。
【請求項２】
請求項１に記載の携帯型電子装置において、
前記サイド領域の前記表示面は前記エッジに交差する方向の断面形状が凸曲線となる曲面であること、を特徴とする携帯型電子装置。
【請求項３】
請求項２に記載の携帯型電子装置において、
前記主領域の前記表示面は平面であり、
前記サイド領域は外光反射率を前記主領域におけるよりも低減する反射防止膜を配されること、
を特徴とする携帯型電子装置。
【請求項４】
板状の外形を有した携帯型電子装置であって、
前記外形の一方面に配された表示面に画像を表示する表示部と、
前記表示面に配された静電容量式接触センサからなる表示面接触センサと、
前記外形の他方面の少なくとも一部のエッジに隣接して設定された縁領域に配された感圧式接触センサからなる背面接触センサと、
を有することを特徴とする携帯型電子装置。
【請求項５】
請求項４に記載の携帯型電子装置において、
前記縁領域における前記外形は前記エッジに交差する方向の断面形状が凸曲線となる曲面であること、を特徴とする携帯型電子装置。
【請求項６】
請求項４に記載の携帯型電子装置において、
前記表示面接触センサ及び前記背面接触センサにより前記表示面における指示位置を取得する制御部を有し、
前記制御部は、前記背面接触センサが検出した接触位置を、前記表示面において当該接触位置に対向する位置に対応付けること、
を特徴とする携帯型電子装置。
【発明の詳細な説明】
【技術分野】
【０００１】
本発明は携帯型電子装置に関し、特にタッチパネルを備えユーザが手に保持して操作する装置に関する。
【背景技術】
【０００２】
フラットパネルディスプレイとタッチセンサとを組み合わせたタッチパネルは種々の携帯型電子装置に搭載されている。フラットパネルディスプレイに関しては近年、例えば、樹脂フィルムを基板に用いたフレキシブルディスプレイが開発されている。フレキシブルディスプレイは、ガラス基板を用いたフラットパネルディスプレイより薄く軽量にできると共に、曲面形状の表示面を得られる。タッチセンサには、静電容量式や抵抗膜式などの方式がある。静電容量式タッチセンサは指がセンサ表面に接触する前に当該指を検知でき、軽快な操作性が得られる。一方、抵抗膜式タッチセンサは指がセンサ表面に及ぼす圧力により当該指を検知する感圧式である。
【先行技術文献】
【特許文献】
【０００３】
【特許文献１】国際公開第２０１２／０４２８２２号パンフレット
【発明の概要】
【発明が解決しようとする課題】
【０００４】
スマートフォンやタブレット型端末など、ユーザが手に保持して使用する携帯型電子装置では、保持する手や指が意図せずディスプレイの表示面に触れることがある。このような保持する手が触れる位置、又は触れ易い位置に静電容量式のタッチセンサがあると、当該タッチセンサはユーザが意図しない操作を検出し、携帯型電子装置は誤動作を生じ得る。
【０００５】
本発明は、当該誤動作を起こりにくくし操作性が向上した携帯型電子装置を提供する。
【課題を解決するための手段】
【０００６】
（１）本発明に係る携帯型電子装置は板状の外形を有した装置であって、前記外形の一方面に配された表示面に画像を表示する表示部と、前記表示面に配され当該表示面への物体の接触を検出する接触センサと、を有し、前記接触センサとして、前記表示面のうち中央部を含んで設定された主領域には静電容量式接触センサが配され、前記表示面のうち当該表示面の少なくとも一部のエッジを含み前記主領域とは排他的に設定されたサイド領域には感圧式接触センサが配される。
【０００７】
（２）上記（１）に記載する携帯型電子装置において、前記サイド領域の前記表示面は前記エッジに交差する方向の断面形状が凸曲線となる曲面とすることができる。
【０００８】
（３）上記（２）に記載する携帯型電子装置において、前記主領域の前記表示面は平面であり、前記サイド領域は外光反射率を前記主領域におけるよりも低減する反射防止膜を配されてもよい。
【０００９】
（４）他の本発明に係る携帯型電子装置は板状の外形を有した装置であって、前記外形の一方面に配された表示面に画像を表示する表示部と、前記表示面に配された静電容量式接触センサからなる表示面接触センサと、前記外形の他方面の少なくとも一部のエッジに隣接して設定された縁領域に配された感圧式接触センサからなる背面接触センサと、を有する。
【００１０】
（５）上記（４）に記載する携帯型電子装置において、前記縁領域における前記外形は前記エッジに交差する方向の断面形状が凸曲線となる曲面であるものとすることができる。
【００１１】
（６）上記（４）に記載する携帯型電子装置において、前記表示面接触センサ及び前記背面接触センサにより前記表示面における指示位置を取得する制御部を有し、前記制御部は、前記背面接触センサが検出した接触位置を、前記表示面において当該接触位置に対向する位置に対応付ける構成とすることができる。
【図面の簡単な説明】
【００１２】
【図１】本発明の第１の実施形態に係る携帯型電子装置の概略の構成を示す模式図である。
【図２】本発明の第１の実施形態に係る携帯型電子装置がユーザに保持された状態を示す模式図である。
【図３】本発明の第１の実施形態に係る携帯型電子装置の模式的な垂直断面図である。
【図４】本発明の第１の実施形態に係る携帯型電子装置に搭載されるタッチセンサの模式的な部分平面図である。
【図５】図４に示すＶ−Ｖ線に沿ったタッチセンサの模式的な垂直断面図である。
【図６】図４に示すＶＩ−ＶＩ線に沿ったタッチセンサの模式的な垂直断面図である。
【図７】本発明の第２の実施形態に係る携帯型電子装置の模式的な背面図である。
【図８】本発明の第２の実施形態に係る携帯型電子装置の模式的な側面図である。
【発明を実施するための形態】
【００１３】
以下、本発明の実施の形態（以下実施形態という）について、図面に基づいて説明する。
【００１４】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１５】
［第１の実施形態］
本発明の実施形態に係る携帯型電子装置２は例えば、スマートフォン、タブレット端末などである。携帯型電子装置２は略板状の外形であり、また、ユーザが例えば、片手又は両手で携帯型電子装置２を保持しつつ使用することができる大きさ、重さである。板状の外形は２つの主面を有し、以降、両主面のうち携帯型電子装置２の表示面が設けられる一方面を前面とし、その裏側に位置する他方面を背面と呼ぶ。
【００１６】
図１は携帯型電子装置２の概略の構成を示す模式図である。図１に示すように、携帯型電子装置２は、有機ＥＬ表示パネル４、タッチセンサ６、走査線駆動回路８、映像線駆動回路１０、センサ制御回路１２及び制御装置１６を備える。
【００１７】
有機ＥＬ表示パネル４は表示面に画像を表示する表示部である。上述したように表示面は携帯型電子装置２の前面に配される。有機ＥＬ表示パネル４は表示面に対応して、有機発光ダイオード（Organic Light-Emitting Diode：ＯＬＥＤ）及び画素回路がマトリクス状に配置された画素アレイ部を有する。画素回路は複数の薄膜トランジスタ（Thin Film Transistor：ＴＦＴ）やキャパシタで構成される。ＯＬＥＤや画素回路はシート状の基材上に形成される。本実施形態では、有機ＥＬ表示パネル４はフレキシブルディスプレイであり、画素アレイ部を曲げることができる。具体的には、有機ＥＬ表示パネル４のＯＬＥＤを形成する基材（ＴＦＴ基板）や、ＯＬＥＤを挟んでＴＦＴ基板と対向配置される基材（封止基板）として例えば、樹脂フィルムなどのフレキシブルな素材を用いる。なお、ＴＦＴ基板や封止基板としてガラス基板を用いて有機ＥＬ表示パネル４の構造を作った後、研磨などでＴＦＴ基板や封止基板を薄くして有機ＥＬ表示パネル４をフレキシブルとしてもよい。
【００１８】
また、有機ＥＬ表示パネル４は画素アレイ部を駆動する駆動部を備える。駆動部は走査線駆動回路８、映像線駆動回路１０及び制御装置１６を含み、画素回路を駆動しＯＬＥＤの発光を制御する。
【００１９】
走査線駆動回路８は、画素の水平方向の並び（画素行）ごとに画素アレイ部に設けられた走査信号線２０に接続されている。走査信号線２０は対応する画素行の各画素回路に設けられた点灯ＴＦＴのゲートに接続される。走査線駆動回路８は制御装置１６から入力されるタイミング信号に応じて走査信号線２０を順番に選択し、選択した走査信号線２０に点灯ＴＦＴをオンする電圧を印加する。
【００２０】
映像線駆動回路１０は画素の垂直方向の並び（画素列）ごとに設けられた映像信号線２２に接続されている。映像線駆動回路１０は制御装置１６から映像信号を入力され、走査線駆動回路８による走査信号線２０の選択に合わせて、選択された画素行の映像信号に応じた電圧を各映像信号線２２に出力する。当該電圧は、選択された画素行にて点灯ＴＦＴを介して画素回路のキャパシタに書き込まれる。画素回路は当該キャパシタに書き込まれた電圧に応じた電流をＯＬＥＤに供給し、これにより、ＯＬＥＤが映像信号に応じた強度で発光する。
【００２１】
タッチセンサ６（接触センサ）は有機ＥＬ表示パネル４の表示面に配され当該表示面への物体の接触を検出する。タッチセンサ６として、表示面のうち中央部を含んで設定された主領域には静電容量式接触センサが配され、表示面のうち当該表示面の少なくとも一部のエッジを含み主領域とは排他的に設定されたサイド領域には感圧式接触センサとして抵抗膜式接触センサが配される。
【００２２】
図２は携帯型電子装置２の表示面の模式図である。図２には携帯型電子装置２がユーザに保持された状態を図示している。図２に示す携帯型電子装置２の平面形状の向きは図１と同じであり、図２における携帯型電子装置２の左右方向が上述した画素行方向、又は水平方向に該当する。
【００２３】
本実施形態では、表示面の左右両側にサイド領域３０が設定され、左側のサイド領域３０は矩形である表示面の左側のエッジ全体を含むように設定され、右側のサイド領域３０は表示面の右側のエッジ全体を含むように設定される。左側のサイド領域３０は画素アレイ部の左端から所定画素列分の領域であり、右側のサイド領域３０は画素アレイ部の右端から所定画素列分の領域である。一方、主領域３２は表示面のうち両サイド領域３０に挟まれた残りの領域である。例えば、両サイド領域３０の幅は同じとすることができる。また、主領域３２の幅は基本的には各サイド領域３０の幅より大きく設定される。本実施形態では、主領域３２の幅は両サイド領域３０の幅の合計より大きく設定する。
【００２４】
本実施形態ではサイド領域３０に配置される抵抗膜式接触センサはデジタルマトリクス抵抗膜方式とし、主領域３２に配置される静電容量式接触センサは投影型静電容量方式とする。そのため、タッチセンサ６はサイド領域３０と主領域３２との両方に、水平方向に延在し垂直方向に並列配置された複数の水平電極と、垂直方向に延在し水平方向に並列配置された複数の垂直電極とを有する。
【００２５】
抵抗膜式接触センサは固定電極と可動電極とを有する。固定電極は表示面上に固定され、可動電極は固定電極の上方に配置される。固定電極と可動電極との間には隙間が設けられ、可動電極は物体の接触圧力で変位し、固定電極に接触することができる。例えば、サイド領域３０には固定電極が水平電極として形成され、また可動電極が垂直電極として形成される。
【００２６】
投影型静電容量式接触センサは駆動電極と検知電極とを有する。駆動電極と検知電極とは互いに直交して配置され、例えば、主領域３２には駆動電極が水平電極として形成され、また検知電極が垂直電極として形成される。
【００２７】
センサ制御回路１２は制御装置１６の制御の下、タッチセンサ６に電気信号を入力すると共に、タッチセンサ６からの電気的な出力信号を検知し、検知結果を制御装置１６へ出力する。例えば、センサ制御回路１２はサイド領域３０においては、物体の接触位置で交差する水平電極と垂直電極との間に生じる電気的な導通を検出する。導通した水平電極と垂直電極との組から物体の接触位置を特定することができる。またセンサ制御回路１２は主領域３２においては、駆動電極に例えば、矩形パルス等の交流信号を入力し、検知電極に生じる電気信号を検出する。駆動電極との間の容量結合により検知電極に生じる電圧変化は表示面に物体が接触した位置と接触しない位置とで違いが生じる。そこで駆動電極を順次選択して交流信号を印加することで、接触位置に対応する駆動電極と検知電極との組を特定することができる。
【００２８】
制御装置１６（制御部）は、ＣＰＵ（Central Processing Unit）などの演算処理回路、及びＲＯＭ（Read Only Memory）やＲＡＭ（Random Access Memory）などのメモリを備えている。制御装置１６はＣＰＵがメモリに格納されたプログラムを読み出して実行することにより各種の処理を実行する。具体的には、制御装置１６は各画素の階調値を示す映像信号を生成し、当該映像信号を映像線駆動回路１０へ出力する。また、制御装置１６は映像データに基づいて、走査線駆動回路８、映像線駆動回路１０及びセンサ制御回路１２が同期を取るためのタイミング信号を生成し、それら回路に向けて出力する。また、制御装置１６はセンサ制御回路１２の検出結果に基づいて、表示面上での物体の接触位置を求める。
【００２９】
図２に示すように携帯型電子装置２は平面形状が略矩形の板状の外形であり、当該矩形の短辺に沿った幅は例えば、ユーザが一方の手４０で把持できる大きさである。図２ではユーザは手のひらを携帯型電子装置２の背面に添え、携帯型電子装置２の左右の側面又は前面に指を添えて携帯型電子装置２を保持している。本実施形態では携帯型電子装置２の平面形状内にて有機ＥＬ表示パネル４の表示面は極力大きく設計され、表示面は携帯型電子装置２の左右方向のほぼ全体に亘って配置されている。
【００３０】
ユーザは例えば他方の手の指でタッチセンサ６に触れ携帯型電子装置２を操作することができる。また、表示面の端部には、携帯型電子装置２を把持した手の指が届く領域が存在し、ユーザは把持手の指で当該領域のタッチセンサ６に触れて携帯型電子装置２を操作することもできる。ここで、静電容量式接触センサは把持のために軽く添えられただけの指であっても検知し易い。一方、抵抗膜式接触センサは基本的に静電容量式接触センサに比べれば把持手の指を検知しにくい。また、把持手の指を検知せず、ユーザが操作のために意識して押した指を検知するように抵抗膜式接触センサ４６を設計することができる。よって、携帯型電子装置２を把持したユーザの指が触れ易い範囲に対応して、抵抗膜式接触センサが配置されるサイド領域３０を設定することで、ユーザにとってタッチセンサ６により検出されないように表示面の端部に指を添えて携帯型電子装置２を保持することが容易となる。
【００３１】
図３は表示面における水平方向に沿った携帯型電子装置２の模式的な垂直断面図である。有機ＥＬ表示パネル４、タッチセンサ６及び各種回路等はケース４２（筐体）を用いて一体に統合される。ケース４２は基本的に携帯型電子装置２の背面に位置し、携帯型電子装置２の前面には有機ＥＬ表示パネル４及びタッチセンサ６が配置される。また、有機ＥＬ表示パネル４とケース４２との間に内蔵部４４が格納される。内蔵部４４は有機ＥＬ表示パネル４の背面を支持する構造体、電子回路基板、バッテリなどからなる。
【００３２】
有機ＥＬ表示パネル４は図３に示すように表示面が凸形状になるように配置することができる。例えば、サイド領域３０における表示面が、図３に示す断面形状が凸曲線となる曲面に形成される。一方、主領域３２の表示面は平面に形成される。
【００３３】
携帯型電子装置２の前面のうち把持手の指が添えられる端部を凸形状の曲面とすることで、ユーザが手で携帯型電子装置２を把持し易くなると共に、把持した手の指でタッチセンサ６を操作し易くなる。そして、表示面端部の曲面に形成される部分は把持手の指が当たり易い部分であるので、当該部分をサイド領域３０とし抵抗膜式接触センサ４６を配置する。これにより携帯型電子装置２を保持した手の指によるタッチセンサ６の誤動作を減らすことができる。一方、把持手の指が当たりにくい主領域３２には静電容量式接触センサ４８を配置し、軽快な操作を可能とする。
【００３４】
サイド領域３０は外光反射率を主領域３２におけるよりも低減する反射防止膜５０を配される。例えば、本実施形態では主領域３２には表示面保護膜５２としてカバーガラスなどを配するが反射防止膜は配さず、一方、サイド領域３０には反射防止膜５０を配する。主領域３２にて外光反射が生じないように携帯型電子装置２の向きを変えても、曲面であるサイド領域３０のどこかで強い外光反射が生じ、有機ＥＬ表示パネル４の表示が視認しにくくなる問題が起こり得る。反射防止膜５０を設けることで当該問題を回避することができる。例えば、反射防止膜５０として、表面に光の波長以下の微細凹凸構造体を施したモスアイ型無反射フィルムを用いることができる。
【００３５】
ここで、モスアイ型無反射フィルムは汚れを除去する際などに傷が付き易く、また比較的高価である。そこで、本実施形態の主領域３２にはモスアイ型無反射フィルムを配置せず、汚れ落としが比較的容易でまた比較的低廉なカバーガラスなどの材料で主領域３２を覆っている。これにより、表示面の中央部でかつ大きな面積を占める主領域３２の表示の視認性を維持することが容易となる。なお、主領域３２の表示面保護膜５２として、モスアイ型無反射フィルムほどの反射防止性能はないもののクリーニングが容易な反射防止膜を配置してもよい。
【００３６】
図４はタッチセンサ６の模式的な部分平面図であり、表示面のうちサイド領域３０と主領域３２とに跨がる領域を示している。図５は図４に示す水平方向のＶ−Ｖ線に沿ったタッチセンサ６の模式的な垂直断面を表している。また図６は図４に示す水平方向のＶＩ−ＶＩ線に沿ったタッチセンサ６の模式的な垂直断面を表している。なお、図５、図６ではタッチセンサ６が有機ＥＬ表示パネル４の封止基板の上に配置されるオンセル方式である例を示している。
【００３７】
透明で絶縁性の第１の基材６０の表面に透明導電膜で、抵抗膜式接触センサ４６の固定電極６２及び、静電容量式接触センサ４８の駆動電極６４と、駆動電極６４の引出配線６６と、検知電極６８のパッド部６８ａとが形成される。
【００３８】
駆動電極６４及び固定電極６２は既に述べたように水平方向に延在し垂直方向に並列配置された複数の水平電極である。
【００３９】
具体的には各駆動電極６４は主領域３２に形成され、複数のパッド部６４ａと当該パッド部６４ａ間をつなぐブリッジ部６４ｂとからなる。複数のパッド部６４ａは基本的に同じ大きさで同じ形状のひし形であり、ひし形の対角線が水平方向に一直線に並ぶように配置される。隣接するパッド部６４ａはそれらのひし形の対向する頂点間をブリッジ部６４ｂで接続される。
【００４０】
引出配線６６は基本的に直線状に形成され、駆動電極６４のサイド領域３０側の端部からサイド領域３０を水平方向に横切ってサイド領域３０の外に配置された端子に接続される。
【００４１】
固定電極６２はサイド領域３０に形成される。各固定電極６２は真っ直ぐな帯状の形状であり、サイド領域３０に垂直方向に並ぶ引出配線６６の間の領域に配置される。固定電極６２の一方端はサイド領域３０の外に配置された端子に接続される。
【００４２】
引出配線６６は可動電極７０との短絡を防ぐために絶縁膜８０で覆われる。一方、固定電極６２は絶縁膜８０で覆われず、物体接触により変位した可動電極７０と電気的に接触可能である。
【００４３】
検知電極６８は既に述べたように垂直方向に延在し水平方向に並列配置された複数の垂直電極であり、主領域３２に配置される。具体的には、各パッド部６８ａは基本的に同じ大きさで同じ形状のひし形であり、１つの対角線を垂直方向に向けて、駆動電極６４間の隙間にパッド部６４ａとは互い違いに配置される。パッド部６８ａは垂直方向の対角線の延長線が駆動電極６４のブリッジ部６４ｂに交差する位置に配置される。各検知電極６８は、垂直方向に並ぶ複数のパッド部６８ａと当該パッド部６８ａ間をつなぐブリッジ部６８ｂとからなる。
【００４４】
ブリッジ部６８ｂは駆動電極６４のブリッジ部６４ｂとの短絡を避けるために、駆動電極６４及びパッド部６８ａとは別層に形成された導電材を用いて形成される。例えば、固定電極６２、駆動電極６４、引出配線６６、検知電極６８のパッド部６８ａが形成された第１の基材６０の主領域３２に絶縁膜８２を積層する。絶縁膜８２にはパッド部６８ａとブリッジ部６８ｂとの接続位置にコンタクトホール８４を形成する。例えば、コンタクトホール８４は、垂直方向に隣接するパッド部６８ａのひし形の対向する頂点付近に設けられる。コンタクトホール８４を形成した絶縁膜８２の表面に導電材（透明導電膜又は金属膜）を積層し、当該導電材によりブリッジ部６８ｂを形成する。具体的にはブリッジ部６８ｂは絶縁膜８２表面にてコンタクトホール８４間を結ぶ細い配線部８６と、コンタクトホール８４内の埋設部８８とからなる。検知電極６８の端部は主領域３２の外に配置された端子に接続される。
【００４５】
抵抗膜式接触センサ４６の可動電極７０は、第１の基材６０に対向配置される第２の基材９０の第１の基材６０に対向する面に形成される。可動電極７０は既に述べたように垂直方向に延在し水平方向に並列配置された複数の垂直電極であり、サイド領域３０に形成される。各可動電極７０は真っ直ぐな帯状の形状であり、可動電極７０の端部はサイド領域３０の外に配置された端子に接続される。
【００４６】
可動電極７０が形成された第２の基材９０は固定電極６２、駆動電極６４及び検知電極６８が形成された第１の基材６０に貼り合わされる。各電極６２，６４，６８，７０はそれらが接続される端子を介してセンサ制御回路１２に接続される。第１の基材６０及び第２の基材９０はフレキシブルな素材からなり、タッチセンサ６はフレキシブルに構成される。よって、タッチセンサ６は曲面をなす表示面に沿って配置できる。具体的には、タッチセンサ６は可動電極７０が設けられた第２の基材９０を上にして表示面に配置される。
【００４７】
なお、図４〜図６に示す構造を有したタッチセンサ６は、電極６２を可動電極、電極７０を固定電極とすれば、第１の基材６０を上にして表示面に配置することもできる。
【００４８】
固定電極６２と可動電極７０との間隔は絶縁膜８２の厚みで調節できる。サイド領域３０に設ける絶縁膜８０の厚みを主領域３２に設ける絶縁膜８２と同じにしても抵抗膜式接触センサ４６の動作に支障がない場合は、両絶縁膜８０，８２は共通のプロセスで形成することができる。この場合、同一のプロセスを用いて２種類のセンサを一体構造として製造できるので、より低コストのタッチセンサを形成することができる。
【００４９】
上記実施形態ではサイド領域３０に設ける感圧式接触センサとして抵抗膜式接触センサを用いたが、他の感圧式接触センサをサイド領域３０に配置してもよい。またタッチセンサ６は有機ＥＬ表示パネル４の封止基板の上に配置するオンセル方式であってもよいし、封止基板の内側に形成するインセル方式であってもよい。このような内側に形成するセンサを用いると、センサ付の表示パネルをより薄くできる効果がある。
【００５０】
上述の実施形態では、抵抗膜式接触センサ４６と静電容量式接触センサ４８とを一体に形成したタッチセンサ６を説明したが、抵抗膜式接触センサ４６と静電容量式接触センサ４８とは別々に形成したものであってもよい。
【００５１】
また、抵抗膜式接触センサ４６と静電容量式接触センサ４８とを一体に形成するタッチセンサ６の構造は上述したものには限られない。例えば、引出配線６６を固定電極６２として共用する構成が可能である。この場合、引出配線６６上には絶縁膜８０を設けない。また、センサ制御回路１２は抵抗膜式接触センサ４６と静電容量式接触センサ４８とを時分割で駆動する。センサ制御回路１２は、静電容量式接触センサ４８による検知時に、サイド領域３０に物体が接触し可動電極７０と引出配線６６とが短絡しても駆動電極６４に交流信号が印加されるように、可動電極７０を電源から切り離しフロートにする。
【００５２】
上記実施形態では有機ＥＬ表示パネル４を曲面にすることで凸形状の表示面を形成した。しかし、平面の有機ＥＬ表示パネル４の前面に透明で表面が曲面のパネルを配置することで凸形状の表示面を形成することもできる。
【００５３】
上記実施形態では主領域３２は平面としたが、サイド領域３０より曲率が小さい凸形状の曲面としてもよい。
【００５４】
サイド領域３０は表示領域の左右のエッジに沿った部分だけでなく、例えば、上下のエッジに沿った部分にも設けることができる。
【００５５】
［第２の実施形態］
第２の実施形態に係る携帯型電子装置２ａの構成要素のうち、第１の実施形態と同様のものに関しては同一の符号を付して基本的に説明を省略する。第１の実施形態の携帯型電子装置２に関して図１に示した構造は、基本的に携帯型電子装置２ａと共通であり、携帯型電子装置２ａについて図１を援用する。以下、携帯型電子装置２ａについて携帯型電子装置２との相違点を主に説明する。
【００５６】
図７は携帯型電子装置２ａの背面の模式図である。携帯型電子装置２ａは平面形状が略矩形の板状の外形であり、当該矩形の短辺に沿った幅は、例えば、スマートフォンのようにユーザが片手で把持できる大きさであってもよいし、より大きくてもよい。
【００５７】
携帯型電子装置２ａの有機ＥＬ表示パネル４の表示面には表示面接触センサとして静電容量式接触センサ４８が配置される。一方、抵抗膜式接触センサ４６は背面接触センサとして携帯型電子装置２ａの背面の少なくとも一部のエッジに隣接して設定された縁領域に配置される。
【００５８】
ユーザは例えば、表示面のタッチセンサ６に触れて携帯型電子装置２ａを操作することができる。また、ユーザは携帯型電子装置２ａを保持した手の指で、背面に設けられた抵抗膜式接触センサ４６を操作することもできる。携帯型電子装置２の背面、特に端部はユーザが携帯型電子装置２ａを把持する際に、把持した手が触れ易い。よって、携帯型電子装置２ａの背面端部に配置するタッチセンサ６は抵抗膜式接触センサ４６とし、誤動作を抑制する。
【００５９】
本実施形態では、図７に示すように背面の左右両側に縁領域１００が設定され、左側の縁領域１００は矩形である背面の左側のエッジ全体を含むように設定され、右側の縁領域１００は表示面の右側のエッジ全体を含むように設定される。本実施形態のタッチセンサ６は抵抗膜式接触センサ４６が配置される領域として第１の実施形態のサイド領域３０に代えて縁領域１００が設けられる。また、第１の実施形態で述べた静電容量式接触センサ４８が配置される主領域３２は、本実施形態では表示面全体に相当する。
【００６０】
図８は携帯型電子装置２ａの模式的な側面図であり、図８の水平方向は表示面の水平方向に対応している。図８に示すように、携帯型電子装置２ａの背面は曲がっており、特に縁領域１００における背面がその断面形状が凸曲線となる曲面に形成される。
【００６１】
携帯型電子装置２ａの背面のうち把持手又は指が添えられる縁領域１００を凸形状の曲面とすることで、携帯型電子装置２ａがユーザの手にフィットし易くなると共に、把持した手の指で背面のタッチセンサ６を操作し易くなる。そして、背面端部の曲面に形成されるタッチセンサ６は把持手や指が当たり易い部分であるので、当該部分には抵抗膜式接触センサ４６を配置する。これにより携帯型電子装置２ａを保持した手によるタッチセンサ６の誤動作を減らすことができる。
【００６２】
一方、携帯型電子装置２の表示面は凹形状の曲面とすることができる。この場合、表示面には把持手の指が当たりにくくなる。そこで、表示面には静電容量式接触センサ４８を配置し、軽快な操作を可能とする。なお、表示面の端部のタッチセンサ６を第１の実施形態のサイド領域３０と同様に抵抗膜式接触センサ４６としてもよい。
【００６３】
制御装置１６（制御部）は、表示面及び背面のタッチセンサ６によりユーザが指示する位置を取得する。例えば、制御装置１６は、背面のタッチセンサ６が検出した接触位置を、表示面において当該接触位置に対向する位置に対応付ける。具体的には、制御装置１６は表示面に表示するカーソルを背面のタッチセンサ６における接触位置に応じて移動させたり、表示面に表示したアイコンを背面のタッチセンサ６で操作可能とする。
【００６４】
本実施形態においても第１の実施形態で述べた各種の変形を適用することができる。
【００６５】
さらに上記各実施形態においては、開示例として表示部が有機ＥＬ表示パネルである場合を例示したが、その他の適用例として、液晶表示装置、その他の自発光型表示装置、あるいは電気泳動素子等を有する電子ペーパー型表示装置、量子ドット型表示装置等、あらゆるフラットパネル型の表示装置が挙げられる。また、ユーザが手で保持して操作するものであれば大きさを特に限定することなく適用が可能であることは言うまでもない。
【００６６】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【００６７】
また、本実施形態において述べた態様によりもたらされる他の作用効果について本明細書記載から明らかなもの、又は当業者において適宜想到し得るものついては、当然に本発明によりもたらされるものと解される。
【符号の説明】
【００６８】
２  携帯型電子装置、４  有機ＥＬ表示パネル、６  タッチセンサ、８  走査線駆動回路、１０  映像線駆動回路、１２  センサ制御回路、１６  制御装置、２０  走査信号線、２２  映像信号線、３０  サイド領域、３２  主領域、４２  ケース、４４  内蔵部、４６  抵抗膜式接触センサ、４８  静電容量式接触センサ、５０  反射防止膜、５２  表示面保護膜、６０，９０  基材、６２  固定電極、６４  駆動電極、６４ａ，６８ａ  パッド部、６４ｂ，６８ｂ  ブリッジ部、６６  引出配線、６８  検知電極、７０  可動電極、８０，８２  絶縁膜、８４  コンタクトホール、８６  配線部、８８  埋設部、１００  縁領域。
【図１】
2015215800.tif 000003
【図２】
2015215800.tif 000004
【図３】
2015215800.tif 000005
【図４】
2015215800.tif 000006
【図５】
2015215800.tif 000007
【図６】
2015215800.tif 000008
【図７】
2015215800.tif 000009
【図８】
2015215800.tif 000010